(57)【要約】【課題】薬液の注入及び非注入を２つの透孔の導通・非導通にて行い、操作性を良好にするとともに、点滴液等の漏出を確実に防止できる安定性の高い新規な側注装置を提供する。【解決手段】本発明は、上面に断面半球状の凹溝５を有する基管４と、該基管４の前記凹溝５に底面が密接しつつ周方向及び軸方向に摺動できる可動体７と、該可動体７の上面に立上げたテーパ管９と、該テーパ管９から前記可動体７の底面に連通する透孔１１と、前記凹溝５面に設けた基管４に連通する透孔１２と、これら２つの透孔１１及び１２を導通させたテーパ管９の摺動位置を維持する係合手段１６と、を備えたことを特徴とし、テーパ管の可動位置によって上記２つの透孔の導通と非導通図ることができるように構成した。【選択図】図１
2007159739.tif 000002
【特許請求の範囲】
【請求項１】
上面に断面半球状の凹溝を有する基管と、該基管の前記凹溝に底面が密接しつつ周方向及び軸方向に摺動できる可動体と、該可動体の上面に立ち上げたテーパ管と、該テーパ管から前記可動体の底面に連通する透孔と、前記凹溝面に設けた基管に連通する透孔と、これら２つの透孔を導通させたテーパ管の摺動位置を維持する係合手段と、を備えたことを特徴とする側注装置。
【請求項２】
前記係合手段が、前記テーパ管と基管に設けた鍔体との間に互いに嵌め合い係合できる凸条と凹条とを設けてなることを特徴とする請求項１に記載の側注装置。
【発明の詳細な説明】
【技術分野】
【０００１】
本発明は、腎不全等の治療に用いられる体外血液回路の導液チューブ、あるいは輸血又は輸液のための点滴セットの導液チューブの途中に設置され、患者に対して適時必要な薬液の側注（注入）ができるようにした側注装置に関するものである。
【背景技術】
【０００２】
一般に、腎不全患者の治療に用いられる体外血液回路や点滴セットの導液チューブの途中には側注装置が設備されている。これは患者に対して適時必要な薬液の側注ができるようにするためである。この従来型の側注装置は、図７の如く、両端に導液チューブ７１の接続部７２を有する基管７３の中間部上面に立管７４を設け、該立管７４の上端に、注射針Ｓ″が突き刺せるゴム栓７５をキャップ７６により一部露出して抱持させていた。このゴム栓７５は、注射器Ｓの先管Ｓ′に結合した注射針Ｓ″を突刺して薬液の注入ができるし、薬液注入後に注射針Ｓ″を抜き取っても針穴を素材の弾性により即座に閉塞できるものである。
【０００３】
しかし、注射針を用いる側注装置は、注射針の針先を手指に突刺してしまう事故を起こす可能性があり、また、注射針の針先に感染性保菌者の血液が付着していた場合には感染という事態になるおそれもあった。
【０００４】
そこで、注射針を用いない改良された側注装置（特開平７−３２８１１８号）が提案された。この改良型の側注装置は、図８の如く、両端に導液チューブ８１の接続部８２を有する基管（ハウジング）８３内にライナ８４を装填してなり、該ライナ８４は前記基管８３の上面に立てたテーパ管８５に差し込んだ注射器Ｓの先管Ｓ′からの液圧で変形して基管８３内に薬液の側注ができるように構成されていた。このライナ８４は薬液側注後に注射器Ｓの先管Ｓ′を基管８３のテーパ管８５から引き抜くと即座に旧形状に戻って液の漏出を防止することが可能になっている。したがって、この改良型の側注装置は注射針を使用しないため、針先で手指を突刺したり、院内感染などを引き起こすおそれがない点で有効であった。
【特許文献１】特開平７−３２８１１８号公報
【発明の開示】
【発明が解決しようとする課題】
【０００５】
しかしながら、上記特開平７−３２８１１８号公報記載の改良型の側注装置を用いた側注には、前述の如く基管（ハウジング）８３内に入れたライナ８４の変形に必要な圧を継続的維持しなければならず操作性の悪いものであった。しかも、薬液注入後に注射器Ｓの先管Ｓ′をテーパ管８５から引き抜いたときにライナ８４が旧形状に即座に戻る復元性にはバラツキがあることから薬液側注後に注射器Ｓの先管Ｓ′を引き抜いた後の点滴液等の漏出の防止に不安定性を伴った。
【０００６】
本発明は、上記問題を解消するためのもので、その目的とするところは、薬液の注入及び非注入を２つの透孔の導通・非導通にて行い、操作性を良好にするとともに、点滴液等の漏出を確実に防止できる安定性の高い新規な側注装置を提供することにある。
【課題を解決するための手段】
【０００７】
上記目的を達成するため、本発明は、上面に断面半球状の凹溝を有する基管と、該基管の前記凹溝に底面が密接しつつ周方向及び軸方向に摺動できる可動体と、該可動体の上面に立ち上げたテーパ管と、該テーパ管から前記可動体の底面に連通する透孔と、前記凹溝面に設けた基管に連通する透孔と、これら２つの透孔を導通させたテーパ管の摺動位置を維持する係合手段と、を備えたことを特徴とし、テーパ管の可動位置によって上記２つの透孔の導通と非導通することができるように構成した。
【０００８】
また、請求項２に記載の発明は、前記係合手段が、前記テーパ管と基管に設けた鍔体との間に互いに嵌め合い係合できる凸条と凹条とを設けてなることを特徴とし、前記２つの透孔の導通状態に継続的に維持できるように構成した。
【発明の効果】
【０００９】
本発明によれば、可動体の上面に立ち上げたテーパ管に、注射器の先管を結合させ、その結合状態でテーパ管とともに可動体を、その底面を基管の凹溝に対して周方向に摺動させた後、係合手段が係合する方向（軸方向）に摺動させると、テーパ管から可動体の底面に連通する透孔と基管の凹溝面に設けた透孔との２つの透孔が導通し、同時に係合手段の係合により導通状態が維持されるため、注射器内の必要な薬液を輸血又は輸液に混ぜて患者に楽に側注できる。また、前記係合手段を解除する方向にテーパ管とともに可動体を横移動させれば、前記２つの透孔は非導通状態となるので、高い操作性が得られるし、非導通状態では２つの透孔がズレてしまうので、輸血又は輸液の逆流や漏出を確実に防止できるという優れた効果を奏するものである。
【００１０】
なお、テーパ管とともに可動体を軸方向に摺動させた位置で前記２つの透孔は確実に非導通状態になるが、テーパ管の角度が導通状態と同じである紛らわしさを解消するため、更にテーパ管を周方向（旧位置）に摺動させておくと、非導通状態でのテーパ管の角度が導通状態でのそれと紛れることがないものとなる利点がある。
【００１１】
また、請求項２に記載の発明は、前記係合手段が、前記テーパ管と基管に設けた鍔体との間に互いに嵌め合い係合できる凸条と凹条とを設けてなるから、前記２つの透孔を導通状態の維持が容易である。しかも、係合手段が互いに嵌め合い係合であるので、側注を時間を掛けて継続的に行うような場合にもきわめて有効であるという優れた効果を奏するものである。
【発明を実施するための最良の形態】
【００１２】
次に、本発明を実施するための最良の形態を図１〜図６にもとづいて説明する。図１は本願側注装置の斜視図、図２は２つの透孔の導通状態を示す側面断面図、図３は２つの透孔の非導通状態を示す側面断面図、図４はテーパ管を上から見た図で、（ａ）は直立時、（ｂ）は横移動時、（ｃ）は傾斜時、図５は本願側注装置の正面断面図で、（ａ）は導通時、（ｂ）は非導通面、図６は本願側注装置の他の例を示す斜視図である。
【００１３】
図１において、１は本願側注装置を示す。本願側注装置１は両端に導液チューブ２の接続部３を有する基管４と、該基管４の上面に断面半球状の凹溝５を有している（図２、図３参照）。この凹溝５は基管４の軸方向ａ−ａ′に対して直交する方向ｂ−ｂ′に延びた溝枠５ａの両端部にリング状の鍔体６が嵌合されている。該鍔体６の嵌合部は、図１の如く溝枠５ａに対して周方向に回らないように非円形になっている。
【００１４】
前記凹溝５には底面が密接しつつ周方向及び軸方向に摺動できる可動体７が嵌入している。該可動体７の軸方向両端の上面部が翼状に延び、その翼片８、８′の上面が前記鍔体６の上内面６′に摺接している。換言すれば、該可動体７の底面は、前記翼片８、８′が挿通している鍔体６の反力により凹溝５に密接している。
【００１５】
前記可動体７の上面にはテーパ管９が立設されている。該テーパ管９は、図２、図３の如く、注射器Ｓの先管Ｓ′がきつく結合てきるように、少なくとも内面９′が下向きに狭窄されたテーパ面になっている。この場合、該テーパ管９と注射器Ｓの先管Ｓ′との結合力をより高めるため、テーパ管９の上縁に突子９ａ、９ｂを設けるとともに該突子７ａ、７ｂに螺合させる雌ねじ筒１０を注射器Ｓの先管Ｓ′の周囲に設けている。
【００１６】
前記可動体７は前記テーパ管９に先管Ｓ′を結合させた注射器Ｓの操作により前記凹溝５の周方向及び軸方向に摺動させることができる。この場合、可動体７の翼片８、８′はその上面が前記鍔体６の上内面６′を滑り、可動体７の底面は前記凹溝５面を滑るように移動する。前記可動体７の周方向の摺動は、該可動体７の上面部の段部７ａ及び７ｂが、図２、図３の如く、前記凹溝５の周方向両端５ａ及び５ｂに当接することにより規制される一方、可動体７の軸方向の摺動は、テーパ管９の側面が、図５（ａ）、（ｂ）の如く、前記鍔体６、６の対向面に当接することにより規制されるようになっている。
【００１７】
前記テーパ管９の内底面には、前記可動体６の底面に連通する透孔１１が設けられている。該透孔１１は、前記基管４内に連通するように凹溝５面に設けた透孔１２に図２の如く導通させることも、図３の如く非導通させることもできるようになっている。前記透孔１１が開口している前記可動体６の底面にはゴム弾性を有するパッキング部材１３が適用（埋設）され、凹溝５の面に設けた透孔１２との導通時及び非導通の液漏れを確実に防止できるようにしている。なお、導通状態にある２つの透孔１１と１２を非導通状態にさせるに際し、図１の如く突出している翼片８′を押し戻すことによっても可能である。これはテーパ管９から注射器Ｓの先管Ｓ′を抜いた後において有効である。
【００１８】
前記テーパ管９の側面と、前記凹溝５に嵌合した鍔体６との対向面には図１及び図４の如く互いに嵌め合い係合できる凸条１４と凹条１５とからなる係合手段１６が設けられている。前記凸条１４は先端縁が玉縁状拡大部１４′になっており、前記凹条１５は該玉縁状拡大部１４′がパチンと軽く係合する蟻溝部１５′になっている。
【００１９】
前記テーパ管９の凸条１４と前記鍔体６の凹条１５とを互いに嵌め合い係合させた状態（図１、図４（ａ）及び図５（ａ）参照）では、前記テーパ管９から前記可動体６の底面に連通する透孔１１と前記凹溝５面に設けた基管４内に連通する透孔１２とが図２の如く導通し、その導通状態が維持されている。しかして、前記テーパ管９を図４（ｂ）の如くその凸条１４が前記鍔体６の凹条１５から離脱する方向（矢印［イ］参照）に横移動させると、前記透孔１１と前記透孔１２は互いにズレてしまうことから、前記２つの透孔１１と１２は互いに非導通状態（遮断状態）となる（図５（ｂ）参照）。
【００２０】
前述の如く、２つの透孔１１と１２は、前記テーパ管９を前述の如く横移動しただけでも非導通状態となるが、この状態ではテーパ管９の角度は直立し、前記２つの透孔１１と１２が導通状態にあるときの角度と同じであるので、テーパ管９の角度を一見しただけでは、前記２つの透孔１１と１２が導通状態にあるか非導通状態にあるか、紛らわしさが残ることからこれを解消するため、テーパ管９は図４（ｃ）の矢印［ロ］の如く、さらに、周方向に摺動（回動）させておくようにするとよい（図３参照）。
【００２１】
次に、透析治療に用いた場合での作用を説明する。透析治療に用いる体外血液回路（図示せず）の導液チューブ２の途中に、本願側注装置１を設置する。この場合、当然ながらテーパ管９は図４（ｃ）の如く傾斜させ、該テーパ管９から前記可動体７の底面に連通する透孔１１と前記凹溝５面に設けた透孔１２とを非導通状態にしておくこととなる（図３参照）。この状態にて透析治療が行われる。
【００２２】
かかる状況下で透析治療の患者に必要な薬液を側注する必要が生じた場合、該薬液を収容した注射器Ｓの先管Ｓ′を前記テーパ管９の内面９′に結合し、該注射器Ｓとともに前記テーパ管９を立てる方向（矢印［ロ′］参照）に回動させる。これにより可動体６が基管４の凹面５に沿って回動するが、該可動体６の段部６ｂが前記凹溝５の一端５ｂに当接（回動を規制）してテーパ管９をほぼ図４（ｂ）の如く垂直状に立たせる。
【００２３】
次いで、前記注射器Ｓとともに前記テーパ管９を図４（ｂ）の矢印［イ′］の如く横移動（図においては下向き）させると、可動体６の底面は基管４の凹面５に沿って滑り、該テーパ管９の側面に設けた凸条１４の玉縁状拡大部１４′が、鍔体６に設けた凹条１５の蟻溝部１５′に図４（ａ）の如く軽くパチンと係合することとなる。この状態で、テーパ管９から可動体６の底面に連通する透孔１１と、該凹溝５面に設けた透孔１２とが導通する（図２及び図５（ａ）参照）。
【００２４】
しかして、注射器Ｓのプランジャーの押し操作により予め収容した薬液を導液チューブ２内に注入（側注）させることができる。この側注作業が終了したら、前記テーパ管９から直ぐに注射器Ｓの先管Ｓ′を抜かず、結合させたままの状態で該注射器Ｓとともにテーパ管９を図４（ｂ）の矢印［ロ］の如く横移動すれば、前記２つの透孔１１と１２は非導通状態（図５（ｂ）参照）になるから、その後は注射器Ｓの先管Ｓ′をテーパ管９から抜いてもよいが、テーパ管９を図４（ｃ）の如く傾斜させ、透析治療開始時の状態にしておくことが好ましい。
【００２５】
かくして、体外血液回路（輸血又は輸液）による治療中に一連の薬液側注作業が完結する。なお、本願側注装置１は、逆に、体外血液回路中の流動血液の採血（注射器等による吸入）用として利用することも可能であることは勿論である。
【００２６】
また、本願側注装置１は、通常では図１の如く基管４の両端に導液チューブ２の接続部３、３を有しているが、図６の如く基管４の下面に設けた接続部１７に中継チューブ１８を接続し、該中継チューブ１８を介して体外血液回路等の導液チューブに接続するような構成のものでもよいことは勿論である。
【産業上の利用可能性】
【００２７】
本願側注装置１は、腎不全等の治療に用いられる体外血液回路や輸血又は輸液のための点滴セットの導液チューブの途中に設置され、患者に対して適時、必要な薬液の側注を行うためのものであって病院や腎クリニックなどにおいて広く利用される可能性が極めて大きいものであると言える。
【図面の簡単な説明】
【００２８】
【図１】本願側注装置の斜視図である。
【図２】２つの透孔の導通状態を示す側面断面図である。
【図３】２つの透孔の非導通状態を示す側面断面図である。
【図４】テーパ管を上から見た図で、（ａ）は直立時、（ｂ）は横移動時、            （ｃ）は傾斜時である。
【図５】本願側注装置の正面断面図で、（ａ）は導通時、（ｂ）は非導通面            時である。
【図６】本願側注装置の他の例を示す斜視図である。
【図７】従来の側注装置の斜視図である。。
【図８】従来の改良型側注装置の側面断面図である。
【符号の説明】
【００２９】
１  本願側注装置
２  導液チューブ
３  接続部
４  基管
５  凹溝
５ａ、５ｂ  両端
６、６′  鍔体
７  可動体
７ａ、７ｂ  段部
８、８′  翼片
９  テーパ管
１０  雌ねじ筒
１１、１２  透孔
１３  パッキング部材
１４  凸条
１４′  玉縁状拡大部
１５  凹条
１５′  蟻溝部
１６  係合手段
１７  接続部
１８  中継チューブ
Ｓ    注射器
Ｓ′  先管
【図１】
2007159739.tif 000003
【図２】
2007159739.tif 000004
【図３】
2007159739.tif 000005
【図４】
2007159739.tif 000006
【図５】
2007159739.tif 000007
【図６】
2007159739.tif 000008
【図７】
2007159739.tif 000009
【図８】
2007159739.tif 000010